(57)【要約】      （修正有）【課題】キバナオウギ多糖体結晶顆粒の効果保存性を延長する抗カビ性の包装袋構造を提供する。【解決手段】包装袋構造は、収容空間を有し、且つ少なくとも１つのシール構造４０が形成された包装袋１０と、収容空間に収容されるキバナオウギ多糖体結晶顆粒ユニット、を含み、シール構造は包装袋の背面に位置する。包装アルミ箔袋の設計によって包装袋の使用構造を最適化し、熱溶着の長さを大幅に減少させるとともに、包装袋の表面積全体を縮小する。これにより、保存過程でキバナオウギ（黄耆，Ａｓｔｒａｇａｌｕｓ  ｍｅｍｂｒａｎａｃｅｕｓ）抽出物の安定した構造を維持可能とし、吸湿度合を低下させ、ゲル化による凝固及び微生物の繁殖確率を低下させることで、製品のより良好な品質安定性を取得し、キバナオウギ抽出物の抗癌効果を向上させる。【選択図】図１
0003226987.tif 000002
【実用新案登録請求の範囲】
【請求項１】
キバナオウギ多糖体結晶顆粒の効果保存性を向上させる包装袋構造であって、
収容空間を有し、且つ少なくとも１つのシール構造が形成された包装袋と、
前記収容空間に収容されるキバナオウギ多糖体結晶顆粒ユニット、を含み、
前記シール構造は前記包装袋の背面に位置する包装袋構造。
【請求項２】
前記包装袋は長尺型である請求項１に記載のキバナオウギ多糖体結晶顆粒の効果保存性を向上させる包装袋構造。
【請求項３】
前記キバナオウギ多糖体結晶顆粒ユニットは、キバナオウギ多糖体粒子とマンノース粒子である請求項１に記載のキバナオウギ多糖体結晶顆粒の効果保存性を向上させる包装袋構造。
【請求項４】
前記キバナオウギ多糖体粒子と前記マンノース粒子は、１：２〜４で組み合わされる請求項３に記載のキバナオウギ多糖体結晶顆粒の効果保存性を向上させる包装袋構造。
【請求項５】
前記包装袋は、正面に開口線を有する請求項１に記載のキバナオウギ多糖体結晶顆粒の効果保存性を向上させる包装袋構造。
【請求項６】
防湿効果を強化するよう、キバナオウギ複合物製品を包装した前記包装袋を中型のアルミ箔袋に配置したあとに、防湿処理が施された外装用紙箱に配置する請求項１に記載のキバナオウギ多糖体結晶顆粒の効果保存性を向上させる包装袋構造。
【請求項７】
前記防湿処理が施された外装用紙箱は製品の外装用紙箱であり、紙材料の最外層にプラスチック層が塗布されている請求項６に記載のキバナオウギ多糖体結晶顆粒の効果保存性を向上させる包装袋構造。
【請求項８】
前記包装袋は表面の接触面積が５０％縮小し、キバナオウギ多糖体結晶顆粒の効果保存性を有効に向上可能であるか、又は、微生物の繁殖を低下させられる請求項１に記載のキバナオウギ多糖体結晶顆粒の効果保存性を向上させる包装袋構造。
【考案の詳細な説明】
【技術分野】
【０００１】
本考案は、キバナオウギ多糖体（Ａｓｔｒａｇａｌｕｓ  Ｐｏｌｙｓａｃｃｈａｒｉｄｅｓ）結晶顆粒の効果保存性を向上させる包装袋構造を提供する。包装袋の設計によって包装袋の使用構造を最適化し、熱溶着の長さを大幅に減少させるとともに、包装アルミ箔袋の表面積全体を縮小する。これにより、保存過程でキバナオウギ（黄耆，Ａｓｔｒａｇａｌｕｓ  ｍｅｍｂｒａｎａｃｅｕｓ）抽出物の安定した構造を維持可能とすることで、キバナオウギ抽出物の効果保存性を向上させる。
【背景技術】
【０００２】
多くの医療系レポートによれば、キバナオウギ抽出物は健康食品として癌の予防にかなりの効果を有するという。キバナオウギは、漢方薬では気を補う上薬に分類される。研究によれば、キバナオウギは新陳代謝の経路を正常化させる効果を有するため、癌化細胞の新陳代謝の経路を正常化させて、正常細胞に影響及ぼすことも副作用を生じることもなく、癌細胞の増殖速度を緩和させる機会を作り得る。
【０００３】
現在、キバナオウギ抽出物の健康食品は多数存在するが、これらキバナオウギ抽出物の健康食品が人体に効果的に吸収され得るか否かには大きな疑問がある。また、キバナオウギ抽出物は湿気を含んだ粉体状態であり、流動性に極めて劣ることから、製品の充填包装工程を実施不可能である。
【０００４】
キバナオウギ抽出物は高濃度の多糖体を含むが、多糖体は湿気を吸収しやすく、高粘性且つ高ゲル化との特性を有するため、一定時間が経過すると不溶性の大きな硬い固まりに結合してしまう。このことは、製品の安全品質に影響するだけでなく、体内での製品の吸収率を大きく低下させる。
【考案の概要】
【考案が解決しようとする課題】
【０００５】
一般的に、従来の粉剤製品には四角形の三方シールパケージが使用されており、製造工程としては容易である。しかし、三方シールはシール長が長いため、シールが不十分となって湿気が入りやすいほか、空気との接触表面積全体がより大きくなるために、吸湿による凝固の確率が高くなる。そこで、キバナオウギの効果保存性を向上させるのに適した包装アルミ箔袋構造を開発し、保存過程においてキバナオウギ抽出物の安定した構造を維持可能とすることで、キバナオウギの有効成分を人体への進入後に効果的に吸収可能とすることが、現段階において最も重要且つ喫緊に解決すべき課題となっている。
【課題を解決するための手段】
【０００６】
別途定義しない限り、本文中で使用する全ての技術用語は、当業者が周知の意味と同様の意味を有する。また、前後で別途明示している場合を除き、本明細書及び添付の実用新案登録請求の範囲で用いる単数形の「一つ」、「一種」等には複数の場合も含まれる。また、別途説明する場合を除き、本文中の「又は」との記載はいずれも「及び／又は」を意味する。
【０００７】
以下に、本考案のいくつかの局面について解説する。これらの解説は、以下で示す更に詳細な記載の説明として、本考案で選択した概念を簡略化した形式で説明するものである。
【０００８】
上記の課題を解決し、キバナオウギ多糖体結晶顆粒の高吸湿特性に対応するために、長尺型で且つ包装袋を背面シールとする包装方式を特に採用する。
【０００９】
本考案は、収容空間を有する封入容器であって、当該封入容器は包装袋であり、且つ、当該包装袋に少なくとも１つのシール構造が形成された封入容器と、前記収容空間に収容されるキバナオウギ多糖体結晶顆粒ユニット、を含み、当該シール構造が当該封入容器の背面に位置するキバナオウギの効果保存性を向上させる包装袋構造を開発する。
【００１０】
本考案の一実施例において、当該キバナオウギ多糖体結晶顆粒ユニットはキバナオウギ多糖体結晶顆粒構造からなり、更に、構造の配合成分としてマンノースが添加される。
【００１１】
本考案の一実施例において、当該封入容器は長尺型である。
【００１２】
本考案の一実施例において、当該キバナオウギ多糖体結晶顆粒ユニットは、キバナオウギ多糖体粒子とマンノース粒子である。
【００１３】
本考案の一実施例において、当該キバナオウギ多糖体粒子と当該マンノース粒子は、１：２〜４で組み合わされる。
【００１４】
本考案の一実施例において、当該封入容器は正面に開口線を有する。
【００１５】
本考案の一実施例において、キバナオウギ多糖体結晶顆粒製品を包装した包装袋を中型のアルミ箔袋に配置する。
【００１６】
本考案の一実施例において、キバナオウギ複合物製品を包装した中型のアルミ箔袋を防湿処理が施された外装用紙箱に配置することで、防湿効果を強化可能とし、保存期限を延長する。
【００１７】
本考案の一実施例において、当該防湿処理が施された外装用紙箱は製品の外装用紙箱であり、紙材料の最外層にプラスチック層が塗布されている。
【００１８】
本考案の一実施例において、当該包装袋は表面の接触面積が５０％縮小し、キバナオウギ多糖体結晶顆粒の効果保存性を有効に向上可能であるか、又は、微生物の繁殖を低下させられる。
【図面の簡単な説明】
【００１９】
【図１】キバナオウギ多糖体結晶顆粒の効果保存性を向上させる包装袋の背面構造である。
【図２】キバナオウギ多糖体結晶顆粒の効果保存性を向上させる包装袋の正面構造である。
【図３】キバナオウギ多糖体結晶顆粒の効果保存性を向上させる包装袋構造を示す図であって、収容空間を含む図である。
【図４】添加物の異なる培地別の黒カビの成長状況を示す。
【考案を実施するための形態】
【００２０】
本考案で使用する技術内容、考案の目的及び達成される効果をより完全且つ明瞭に開示するために、以下で詳細に説明するとともに、提示する図面及び符号を参照する。
【００２１】
キバナオウギ抽出物は湿気を含んだ粉体状態であり、流動性に極めて劣ることから、製品の充填包装工程を実施不可能である。且つ、キバナオウギ抽出物は高濃度の多糖体を含むが、多糖体は湿気を吸収しやすく、高粘性且つ高ゲル化との特性を有するため、一定時間が経過すると不溶性の大きな硬い固まりに結合してしまう。そのため、包装袋のアルミ箔袋構造と外箱の包装を双方ともに改良することで、キバナオウギ抽出物製品を最適に保護するとの作用を達成し、且つ保存期限を延長させる。
【実施例１】
【００２２】
キバナオウギ多糖体結晶顆粒の効果保存性を向上させるアルミ箔包装袋の構造及び外箱包装部分の特殊改良についての考察
【００２３】
１．アルミ箔包装袋の外形を改良することで、空気との接触面積を縮小し（包装の表面積を縮小する）、製品原材料による吸湿の恐れを防止する。
【００２４】
一般的に、従来の粉剤製品には四角形の三方シールパケージが使用されており、製造工程としては容易である。しかし、三方シールはシール長が長いため、シールが不十分となって湿気が入りやすいほか、空気との接触表面積全体がより大きくなるために、吸湿による凝固の確率が高くなる。したがって、製品原材料の高吸湿特性に対応するために、長尺型の包装袋構造（１０）を特に採用する。包装袋構造は背面（３０）にシール構造（４０）を有して包装する。包装袋（１０）アルミ箔袋の外観設計を変更することで、製品原材料の品質の安定性を高め、吸湿度合を低下させてゲル化による凝固を低減するとともに、微生物の繁殖の確率を低下させる。
【００２５】
２．原材料の造粒により凝固の確率を低下させる。
【００２６】
キバナオウギ多糖体は高吸湿特性を有することから、時間の経過とともに粘性及びゲル性が発生しやすく、純粋な粉剤の場合には崩壊不可能な硬い固まりとなりやすい。この点を考慮して、顆粒となるよう特別に加工製造することで、流動性及び顆粒間の隙間を増大させて硬い固まりを生じにくくする。ただし、吸収度についても考慮し、小顆粒が主体となるようにする。
【００２７】
３．外装用紙箱にプラスチック層を塗布することで防水材質とし、防湿性を大幅に向上させるとともに製品の安全性を高める。
【００２８】
原材料であるキバナオウギはそれ自体が湿気を容易に吸収するとの特性を有するため、外箱による外装の防湿性を特に強化する。製品の外装用紙箱について、紙材料の最外層にプラスチック層を塗布することで、紙箱の紙材料を防水レベルとし、防湿性を大幅に向上させる。これにより、内部の製品品質が二重に保護されるため、保存上の安全性が向上する。
【実施例２】
【００２９】
キバナオウギ多糖体結晶顆粒の効果保存性を向上させるアルミ箔包装袋の構造設計
【００３０】
本考案は、キバナオウギ多糖体結晶顆粒の効果保存性を向上させる包装袋構造を設計する。当該構造は、内部に収容空間（５０）を有して、キバナオウギ複合物ユニット（６０）を装填可能な長尺型の包装袋（１０）を使用することを特徴とする。キバナオウギ多糖体結晶顆粒ユニット（６０）は、最適な成分として、キバナオウギ多糖体粒子と当該マンノース粒子を１：２〜４の割合で組み合わせる。この包装袋（１０）は、シール構造（４０）を包装袋の背面（３０）に設計することで、キバナオウギ多糖体結晶顆粒ユニット（６０）及び包装袋（１０）と空気との接触表面積を１０２ｃｍ２から５２ｃｍ２まで縮小し、表面の接触面積を５０％縮小させることを特徴とする。これにより、アルミ箔袋の通気面積を大幅に縮小させられるため、キバナオウギ多糖体結晶顆粒の効果保存性が有効に向上する。また、包装袋の正面（２０）には開口線（２１）が備わっている。
【００３１】
防湿効果を強化するために、キバナオウギ多糖体結晶顆粒製品を包装した包装袋を中型のアルミ箔袋に配置したあとに、特殊な防湿処理を施した外装用紙箱に収容する。特に、外装用紙箱の最外層にはプラスチック層を塗布する。
【実施例３】
【００３２】
キバナオウギ多糖体結晶顆粒の効果保存性を向上させるアルミ箔包装袋によるキバナオウギ複合物の凝固防止及びカビ繁殖防止テスト及び効果
【００３３】
薬材としてのキバナオウギには大量のキバナオウギ多糖体が含有されるため、キバナオウギの主な薬効はキバナオウギ多糖体に由来する。ここで、多糖体の成分には次の２つの特性がある。
【００３４】
１．強い吸湿性と凝固性：多糖体成分の特性は極度の吸湿性であり、手が触れると滑らかさときめ細さを感じるが、強い吸湿特性からすぐに手に付着するような感覚を覚える。キバナオウギ多糖体粉末を白い紙の上に広げると、５分後には明らかな吸湿性を示す。これは、キバナオウギ粉末は吸湿により凝固したあと、長時間が経過すると粘性やゲル化が生じるだけでなく、最後には崩壊不可能な硬い固まりとなるからである。このような場合、当該粉剤製品は摂取不可能となる。また、顧客にとっては見た目が極度に悪化するだけでなく、製品を無駄にすることもなり、企業やブランドへの信頼、製品への信用及び評判にも影響が及ぶ。
【００３５】
２．カビの発生：黒カビは環境内でよく見られるカビであり、接触すると、アレルギー、喘息・呼吸困難、記憶力や集中力の低下、吐き気・嘔吐、免疫系の低下及び慢性疾患を引き起こしやすい。図４は、添加物の異なる培地別の黒カビの成長状況を示している。このように、黒カビは製品の保存期限にとって最も大きな悩みの種である。
【００３６】
多糖体は豊富な栄養分を有する物質であるとともに、黒カビが最も必要とする培養成分でもある（キバナオウギの吸湿後に黒カビが発生したとのフィトヘルス社の検査報告、及び参考文献による異なる培地での黒カビ実験で証明）。このことは、製品品質と食の安全に深刻な影響を及ぼす恐れがある。薬材としてのキバナオウギの特性から、摂取の利便性を強化し、且つ溶解及び迅速な吸収性の向上を粉剤の目的として、本考案では、包装材の構造を改良し、適切且つ良好な設計を選択することで、包装材の防湿性を達成し、更には製品品質（見た目）及び食の安全性（微生物）を維持している。
【符号の説明】
【００３７】
１０  包装袋
２０  包装袋の正面
２１  開口線
３０  包装袋の背面
４０  シール構造
５０  収容空間
６０  キバナオウギ多糖体結晶顆粒ユニット
【図１】
0003226987.tif 000003
【図２】
0003226987.tif 000004
【図３】
0003226987.tif 000005
【図４】
0003226987.tif 000006